(57)【要約】【課題】ランプの保護、省スペース化、低コスト化【解決手段】ランプ駆動回路１０は、基板２８に配置され、トランス駆動回路１２に接続された一次巻線２２と、一端がランプ端子２６に接続され、他端がグランドに接続された二次巻線２４とを有するトランス１１を備えている。そして、トランス１１の駆動に応じた誘導電流が生じる検知配線１３が、基板２８に形成されている。かかる検知配線１３に生じた誘導電流に基づいて、トランス１１を制御することによって、ランプ３０を適切に保護することができる。【選択図】図１
2011034697.tif 000002
【特許請求の範囲】
【請求項１】
基板に配置され、トランス駆動回路に接続された一次巻線と、一端がランプ端子に接続され、他端がグランドに接続された二次巻線とを有するトランス；
並びに、前記基板に形成され、前記トランスの駆動に応じた誘導電流が生じる検知配線；
を備えたランプ駆動回路。
【請求項２】
前記検知配線はコイルを形成している、請求項１に記載されたランプ駆動回路。
【請求項３】
前記検知配線は前記トランスの直下に形成されている、請求項１又は２に記載されたランプ駆動回路。
【請求項４】
前記検知配線はプリント配線で構成されている、請求項１から３までの何れか一項に記載されたランプ駆動回路。
【請求項５】
前記検知配線に接続され、前記検知配線に生じた誘導電流に基づいて、前記トランス駆動回路を制御する制御回路を備えた、請求項１から４までの何れか一項に記載されたランプ駆動回路。
【請求項６】
請求項１から５までの何れか一項に記載されたランプ駆動回路；
並びに、前記ランプ端子に接続された光源；
を備えた、バックライト。
【請求項７】
前記光源が冷陰極管である、請求項６に記載のバックライト。
【請求項８】
請求項６又は７に記載されたバックライトを備えた、液晶表示装置。
【発明の詳細な説明】
【技術分野】
【０００１】
本発明はランプを駆動させるランプ駆動回路に関する。このランプ駆動回路は、例えば、液晶表示装置のバックライトに装備される光源を駆動する回路に適用できる。
【背景技術】
【０００２】
液晶デバイスは発光しない。このため、液晶表示装置は、光源として液晶デバイスの背面に光を照射するバックライトが必要である。バックライトの光源（ランプ）には、例えば、冷陰極管（Cold Cathode Fluorescent Lamp-CCFL）や発光ダイオード（LED：Light Emitting Diode）が用いられている。また、かかるバックライトを駆動させる駆動回路はトランス（変圧器）を備えており、光源に所要の電圧を印加している。
【０００３】
例えば、冷陰極管では、小型液晶モニター用ランプでランプ電圧が約５００Ｖで、その点灯開始電圧が約８００Ｖであり、また、大型テレビ用ランプでは、ランプ電圧が約１５００Ｖ、その点灯開始電圧が約２０００Ｖにもなる。このため、トランスの二次側の出力には高い電圧が作用する場合がある。かかる駆動回路は、例えば、ランプがランプ端子から外れている場合など、何らかの不具合によって異常に高い電圧がトランスの二次側に生じる場合がある。このため、トランスの二次側に生じる異常電圧や異常電流を検知する回路が提案されている。
【０００４】
例えば、特開２００７−１４１７５２号公報（特許文献１）では、二次側巻線を分割した検知巻線によって異常検知を行うことが提案されている。また、同文献では、他の異常検知手段として、トランスの二次側巻線に高耐圧コンデンサを直列に接続する方法や、高耐圧抵抗を直列に接続する方法なども例示されている。なお、同文献では、高耐圧コンデンサや高耐圧抵抗などの高耐圧部品を用いる場合について、高耐圧部品のコストが高い問題や、絶縁距離の確保が困難といった問題が挙げられている。
【先行技術文献】
【特許文献】
【０００５】
【特許文献１】特開２００７−１４１７５２号公報
【発明の概要】
【発明が解決しようとする課題】
【０００６】
本発明は、トランスの二次側に生じる異常電圧や異常電流を検知する方法について、簡単な構成で的確に異常を検知できる新規な方法を提案する。
【課題を解決するための手段】
【０００７】
本発明に係るランプ駆動回路は、基板に配置され、トランス駆動回路に接続された一次巻線と、一端がランプ端子に接続され、他端がグランドに接続された二次巻線とを有するトランス；並びに、基板に形成され、トランスの駆動に応じた誘導電流が生じる検知配線；を備えている。
【０００８】
検知配線はコイルを形成していてもよい。また、検知配線はトランスの直下に形成されていてもよい。また検知配線はプリント配線で構成されていてもよい。また、ランプ駆動回路は、検知配線に接続され、検知配線に生じた誘導電流に基づいて、トランス駆動回路を制御する制御回路を備えていてもよい。
【図面の簡単な説明】
【０００９】
【図１】本発明の一実施形態に係るランプ駆動回路のブロック図。
【図２】本発明の一実施形態に係るランプ駆動回路を模式的に示しており、（ａ）は平面図であり、（ｂ）は断面図である。
【図３】検知配線の配線パターンの一例を示す図。
【図４】検知配線の配線パターンの一例を示す図。
【図５】検知配線の配線パターンの一例を示す図。
【図６】液晶表示装置の分解斜視図。
【発明を実施するための形態】
【００１０】
以下、本発明の一実施形態に係るランプ駆動回路を図面に基づいて説明する。なお、同じ作用を奏する部材、部位には適宜に同じ符号を付す。
【００１１】
図１は、ランプ駆動回路１０のブロック図である。図２は、ランプ駆動回路１０を模式的に示しており、（ａ）は平面図であり、（ｂ）は断面図である。ランプ駆動回路１０は、図１及び図２に示すように、トランス１１、トランス駆動回路１２、検知配線１３、制御回路１４を備えている。
【００１２】
トランス１１は、基板２８に配置されており、一次巻線２２と、二次巻線２４とを有している。一次巻線２２は、トランス１１を駆動させるトランス駆動回路１２に接続されている。二次巻線２４は、一端がランプ端子２６に接続され、他端がグランドに接続されている。検知配線１３は、トランス１１が配置された基板２８に形成されており、トランス１１の駆動に応じた誘導電流が生じる。
【００１３】
この実施形態では、検知配線１３はコイルを形成している。これにより、トランス１１の駆動に応じて誘導起電力が生じ、トランス１１の駆動に応じた誘導電流が生じる。また、この実施形態では、検知配線１３は、トランス１１の直下に形成されている。この場合、検知配線１３は、トランス１１の駆動に応じた誘導電流が生じるとよく、例えば、図２（ａ）に示すように、トランス１１と検知配線１３とが重なるように配置されているとよい。このように、検知配線１３がトランス１１の直下に形成されていると、トランス１１の駆動に対して影響を受け易く、トランス１１の駆動に応じた誘導起電力が生じ易い。また、この実施形態では、検知配線１３はトランス１１が配置された基板２８にプリント配線で構成されている。検知配線１３をトランス１１が配置された基板２８にプリント配線で構成することによって、検知配線１３を省スペースに配置することができる。
【００１４】
検知配線１３の配線パターンは、図２に示す形態に限らない。他の配線パターンとして、検知配線１３の配線パターンは、例えば、図３に示すような渦巻き状のパターンや、図４に示すような櫛歯状のパターンや、図５に示すような単純な環状のパターンで配線してもよい。検知配線１３の配線パターンは、トランス１１の駆動に応じた誘導電流が生じる適当な配線パターンを採用するとよい。例えば、トランスの構造に応じて適当な検知配線１３の配線パターンを採用することで、種々のトランスに対応することができる。
【００１５】
制御回路１４は、図１及び図２に示すように、検知配線１３に接続されている。そして、検知配線１３に生じた誘導電流に基づいて、トランス駆動回路１２を制御する。なお、この実施形態では、制御回路１４は、検知配線１３に生じた誘導電流を、Ｉ−Ｖ変換や、電流増幅回路などを通じて所望の信号へと変換する。この信号に基づいて、例えば、トランス１１の二次側（二次巻線２４側）に生じた異常を検出し、ランプを保護する制御を実行するとよい。このため、所要の検知回路、判定回路を備えているとよい。
【００１６】
この実施形態では、制御回路１４には外部入力部３１からランプ３０の制御信号が入力される。そして、当該ランプ３０の制御信号を基に、制御回路１４はトランス駆動回路１２を制御する。トランス駆動回路１２は、制御回路１４の制御に応じて、適切な信号をトランス１１の一次巻線２２に供給する。この実施形態では、制御回路１４は、検知配線１３に生じた誘導電流を基に、トランス駆動回路１２に供給する制御信号を変化させたり、停止させたりすることによって、ランプ３０を保護することができる。
【００１７】
このように、このランプ駆動回路１０は、基板２８に配置され、トランス駆動回路１２に接続された一次巻線２２と、一端がランプ端子２６に接続され、他端がグランドに接続された二次巻線２４とを有するトランス１１を備えている。そして、トランス１１の駆動に応じた誘導電流が生じる検知配線１３が、基板２８に形成されている。このため、かかる検知配線１３に生じた誘導電流に基づいて、トランス１１を制御することによって、ランプ３０を適切に保護することができる。また、このランプ駆動回路１０は、検知配線１３が基板２８に形成されているので、省スペース化を図ることができる。また、検知配線１３に生じる誘導電流に基づいて、トランス１１に生じた異常を検知できる。この場合、検知配線１３には、それ程、高い電圧が生じない。このため、高耐圧コンデンサや高耐圧抵抗などの高耐圧部品を用いる必要がなく、検知配線１３の絶縁も簡素化できるから、低コスト化を図ることができる。
【００１８】
かかるランプ駆動回路１０は、液晶表示装置のバックライトの光源を駆動させる回路として利用できる。この場合、バックライトの光源３０としては、冷陰極管でもよい。冷陰極管は、基板サイズが大型化すると、蛍光管の長さが長くなり、点灯に要する電圧も高くなる。このため、トランス１１の二次巻線２４側に高い電圧を生じさせる場合が多くなる。上記のランプ駆動回路１０では、トランス１１の二次巻線２４側に異常に高い電圧が生じるのを防止できるので、バックライトの光源３０として冷陰極管を用いる場合でも、冷陰極管を適切に保護できる。
【００１９】
図６は、液晶表示装置１００の一例を示す分解斜視図である。液晶表示装置１００は、図６に示すように、液晶パネル１１０の背面側にバックライト３４０が対向している。バックライト３４０は、光源３４２と、光源３４２を収納するケース（シャーシ）３４４とを備えている。ケース３４４と光源３４２との間には、光源３４２の光を反射する反射部材３４６が配置されている。液晶パネル１１０とバックライト３４０との間には、複数のシート状の光学部材３４８が積層されている。さらに、図示例では、光学部材３４８をケース３４４に挟んで保持するために、略枠状のフレーム３３０が設けられている。液晶パネル１１０とバックライト３４０とは、ベゼル（枠体）３２０によって組み付けられることで一体的に保持されている。液晶パネル１１０は、周縁部を除く中央部分に画素領域１１０ａを有している。この場合、上述したランプ駆動回路１０（図１及び図２参照）が構成される基板は、例えば、反射部材３４６の裏面に配置するとよい。なお、図６は、液晶表示装置１００の一形態を示すに過ぎず、本発明が適用される液晶表示装置１００は、図６に示す形態に限らず、種々の形態に適用できる。
【００２０】
以上、本発明の一実施形態に係るランプ駆動回路を説明したが、本発明に係るランプ駆動回路は、上記に限定されない。
【００２１】
例えば、上述した実施形態では、制御回路は、検知配線に生じた誘導電流に基づいて、トランス駆動回路を制御するとしたが、検知配線には、トランスの駆動に応じて誘導起電力が生じており、所要の電圧が作用する。制御回路は、検知配線に生じた誘導起電力や電圧に応じてトランス駆動回路を制御してもよい。なお、検知配線に生じた誘導電流に基づいて、トランス駆動回路を制御するとの技術思想には、検知配線に生じた誘導起電力や電圧に応じてトランス駆動回路を制御する技術思想が含まれている。
【００２２】
また、ランプ（光源）としては、上述した冷陰極管に限らず、発光ダイオード（ＬＥＤ）でもよい。本発明は、上述したトランスを利用したランプ駆動回路について、適用できる。また、液晶表示装置のバックライトとしては、液晶パネルの背面にバックライトが配置されるいわゆる直下型のバックライトに限らず、エッジライト方式（サイドライト方式、導光板方式）でもよい。本発明に係るランプ駆動回路によれば、かかるバックライトの方式に限らず、バックライトの光源を適切に制御及び保護することができる。
【符号の説明】
【００２３】
１０  ランプ駆動回路
１１  トランス
１２  トランス駆動回路
１３  検知配線
１４  制御回路
２２  一次巻線
２４  二次巻線
２６  ランプ端子
２８  基板
３０  ランプ（光源）
３１  外部入力部
１００  液晶表示装置
１１０  液晶パネル
１１０ａ  画素領域
３３０  フレーム
３４０  バックライト
３４２  光源
３４４  ケース
３４６  反射部材
３４８  光学部材
【図１】
2011034697.tif 000003
【図２】
2011034697.tif 000004
【図３】
2011034697.tif 000005
【図４】
2011034697.tif 000006
【図５】
2011034697.tif 000007
【図６】
2011034697.tif 000008